(57)【要約】【課題】  シンクに対するトレー体の設置位置の自由度が非常に高く、また、不使用時には、導水部を邪魔にならないように縮めて体裁良く収納状態とすることも可能な水切り部材受具並びに水切り装置を提供すること。【解決手段】  流し台天面部１のシンク２脇に載置し得、且つ水切り部材３を載置支承し得るトレー体４の底部に排水孔５を設け、この排水孔５に排水方向を規制する導水部６を設けてトレー体４で受けた水を、排水孔５，導水部６を介して排水し得るように構成し、この導水部６を旋回自在に設けて、前記シンク２に対するトレー体４の載置方向に応じてこの導水部６の排水方向を旋回させてシンク２方向に切替変更し得るように構成し、この導水部６を伸縮調整自在に設けてこの導水部６の突出度を可変自在に構成する。【選択図】      図１
2006304959.tif 000002
【特許請求の範囲】
【請求項１】
流し台天面部のシンク脇に載置し得、且つ水切り部材を載置支承し得るトレー体の底部に排水孔を設け、この排水孔に排水方向を規制する導水部を設けてトレー体で受けた水を、排水孔，導水部を介して排水し得るように構成し、この導水部を旋回自在に設けて、前記シンクに対するトレー体の載置方向に応じてこの導水部の排水方向を旋回させてシンク方向に切替変更し得るように構成し、この導水部を伸縮調整自在に設けてこの導水部の突出度を可変自在に構成したことを特徴とする水切り部材受具。
【請求項２】
前記導水部は、縮めることで旋回し得るように構成したことを特徴とする請求項１記載の水切り部材受具。
【請求項３】
前記トレー体の底部隅部に脚部を垂設し、この脚部によって生じる流し台天面部とトレー体底部との間の浮上間隙に前記導水部を水平旋回自在に設け、この導水部は、この導水部を伸ばした時の長さ寸法を、旋回時に前記脚部に接触して旋回不能となる長さ寸法に設定すると共に、この導水部を縮めた時の長さ寸法を、旋回時に前記脚部と接触せずに旋回可能となる長さ寸法に設定して、この縮めた導水部を旋回させて排水方向を前記シンク方向へ向けた後、必要に応じて導水部を伸ばせるように構成したことを特徴とする請求項１，２のいずれか１項に記載の水切り部材受具。
【請求項４】
前記トレー体の下部に、縮めた前記導水部をトレー体の下方で収納状態に維持する収納部を設けたことを特徴とする請求項１〜３のいずれか１項に記載の水切り部材受具。
【請求項５】
前記請求項１〜４のいずれか１項に記載の水切り部材受具と、この水切り部材受具のトレー体に載置支承する水切り網や水切り籠などの水切り部材とから成ることを特徴とする水切り装置。
【発明の詳細な説明】
【技術分野】
【０００１】
本発明は、流し台のシンク脇に設置して使用する水切り部材受具並びに水切り装置に関するものである。
【背景技術】
【０００２】
出願人は、この種の水切り部材受具として、特開２００４−２６７２８５号（特許文献１）を出願している。
【０００３】
この先願を簡単に説明すると、流し台天面部のシンク脇に載置し得、且つ水切り部材を載置支承し得るトレー体の底部に排水孔を設け、この排水孔に排水方向を規制する導水部を設けてトレー体で受けた水を、排水孔，導水部を介して排水し得るように構成し、この導水部を水平旋回自在に設けて排水方向を変更し得るように構成しているもので、導水部を水平旋回することで簡単にシンク方向へ向けることができ、トレー体内に落ちた水が自動的にシンクへと排出されるので、食器などの洗浄作業終了後にトレー体内に溜まった水をシンク内に流すような手間が不要となって非常に便利である。
【０００４】
【特許文献１】特開２００４−２６７２８５号公報
【発明の開示】
【発明が解決しようとする課題】
【０００５】
本発明は、この先願を改良して更に実用性を追求したもので、導水部を旋回自在且つ伸縮調整自在に設けることで、シンクに対するトレー体の載置方向に応じて導水部を旋回させて排水方向をシンク方向に切替変更できる上に、トレー体とシンクとの距離に応じて導水部を伸縮調整できることで、シンクに対するトレー体の設置位置の自由度が著しく高くなり、しかも、不使用時には、導水部を邪魔にならないように縮めて体裁良く収納状態とすることも可能となる画期的な水切り部材受具並びに水切り装置を提供するものである。
【課題を解決するための手段】
【０００６】
添付図面を参照して本発明の要旨を説明する。
【０００７】
流し台天面部１のシンク２脇に載置し得、且つ水切り部材３を載置支承し得るトレー体４の底部に排水孔５を設け、この排水孔５に排水方向を規制する導水部６を設けてトレー体４で受けた水を、排水孔５，導水部６を介して排水し得るように構成し、この導水部６を旋回自在に設けて、前記シンク２に対するトレー体４の載置方向に応じてこの導水部６の排水方向を旋回させてシンク２方向に切替変更し得るように構成し、この導水部６を伸縮調整自在に設けてこの導水部６の突出度を可変自在に構成したことを特徴とする水切り部材受具に係るものである。
【０００８】
また、前記導水部６は、縮めることで旋回し得るように構成したことを特徴とする請求項１記載の水切り部材受具に係るものである。
【０００９】
また、前記トレー体４の底部隅部に脚部４Ａを垂設し、この脚部４Ａによって生じる流し台天面部１とトレー体４底部との間の浮上間隙に前記導水部６を水平旋回自在に設け、この導水部６は、この導水部６を伸ばした時の長さ寸法を、旋回時に前記脚部４Ａに接触して旋回不能となる長さ寸法に設定すると共に、この導水部６を縮めた時の長さ寸法を、旋回時に前記脚部４Ａと接触せずに旋回可能となる長さ寸法に設定して、この縮めた導水部６を旋回させて排水方向を前記シンク２方向へ向けた後、必要に応じて導水部６を伸ばせるように構成したことを特徴とする請求項１，２のいずれか１項に記載の水切り部材受具に係るものである。
【００１０】
また、前記トレー体４の下部に、縮めた前記導水部６をトレー体４の下方で収納状態に維持する収納部７を設けたことを特徴とする請求項１〜３のいずれか１項に記載の水切り部材受具に係るものである。
【００１１】
また、前記請求項１〜４のいずれか１項に記載の水切り部材受具Ａと、この水切り部材受具Ａのトレー体４に載置支承する水切り網30や水切り籠などの水切り部材３とから成ることを特徴とする水切り装置に係るものである。
【発明の効果】
【００１２】
本発明は上述のように構成したから、上記特許文献１と同様に、水切り部材上で水切りしてトレー体で受けた水は自動的にシンク内へと排出されるので非常に便利となり、しかも、シンクに対するトレー体の載置方向に応じて導水部を旋回させて排水方向をシンク方向に切替できる上、導水部を伸縮調整自在に設けて導水部の位置がシンクから離れていても、導水部を伸ばしてこの導水部からの排水をシンク内へ確実に排水できるようにしたので、シンクに対するトレー体の載置方向も載置距離も限定されず、トレー体の流し台天面部への載置態様の自由度が高く、使用者の様々なキッチン環境に適応させた本受具並びに本装置の配置が可能となり、更に、不使用時には導水部を邪魔にならないように縮めて体裁の良い収納状態としておくことも可能であるなど、極めて実用性に秀れた画期的な水切り部材受具並びに水切り装置となる。
【００１３】
また、請求項２，３記載の発明においては、例えば、後述の実施例の項で説明する構造のようにトレー体の底部四隅に脚部が垂設されている場合でも、導水部を縮めることで脚部を回避しつつ自由に導水部を旋回可能となるので、トレー体の載置状況にかかわらず、導水部を旋回させて確実にシンク方向へ向けることができる構成を設計実現可能となる一層実用性に秀れた構成の水切り部材受具となり、しかも、特に請求項３記載の発明においては、脚部により流し台天面部とトレー体底部との間に形成される浮上間隙で導水部の水平旋回操作並びに伸縮調整操作を容易に行える構成を簡易に設計実現可能となるなど、一層実用性に秀れた構成の水切り部材受具となる。
【００１４】
また、請求項４記載の発明においては、不使用時の導水部の収納状態を安定的に維持できるので、本受具を持ち運ぶ際などにも便利となるなど、一層実用性に秀れた構成の水切り部材受具となる。
【発明を実施するための最良の形態】
【００１５】
好適と考える本発明の実施形態（発明をどのように実施するか）を、図面に基づいて本発明の作用を示して簡単に説明する。
【００１６】
導水部６をシンク２上に位置させるかあるいはシンク２に臨設させるようにして流し台天面部１のシンク２脇にトレー体４を載置し、導水部６を旋回させて排水方向をシンク２方向に向けると共に、必要に応じて導水部６の突出度を可変させ、このトレー体４上に水切り部材３を載置する。
【００１７】
この際、本発明は、シンク２に対するトレー体４の載置方向に応じて、如何様にも導水部６を旋回させて排水方向をシンク２方向へと切替できるので、トレー体４の流し台天面部１への載置態様の自由度が高い。
【００１８】
また、例えば、シンク２とトレー体４との間に距離がある場合や、導水部６を向けた方向のトレー体４の外縁より導水部６の先端部が内側に存してしまっている場合などのように、導水部６からの排水がシンク２に届かない場合には、導水部６を伸ばしてシンク２に臨設するトレー体４の外方へ突出させ、この導水部６からの排水がシンク２内へ確実に排水されるようにすることができる。
【００１９】
しかも、本発明は、トレー体４とシンク２との距離に応じて導水部６を伸縮調整することもできる。換言すると、導水部６の伸縮範囲内で、シンク２に対するトレー体４の載置位置を変更可能であるので、トレー体４を、シンク２のごく近い位置だけでなくシンク２から少し離れた流し台天面部１上に載置するような使い方も可能である。
【００２０】
従って、本発明によれば、使用者の様々なキッチン環境に適応させた本受具の配置が可能である。
【００２１】
水切り部材３上にシンク２内で洗浄した食器などを載置すると、食器などに付着した水滴が水切り部材３を介して下方のトレー体４へと落下し、トレー体４上に落下した水はこのトレー体４上で留まることなく、排水孔５、導水部６を介してシンク２内へと排水することになる。
【００２２】
また、不使用時は、導水部６を縮めておくことができるので、この導水部６が流し台天面部１上若しくはシンク２上で邪魔とならず、また、縮めることで（場合によっては旋回も併用することで）導水部６が見えにくくなるため、この不使用時の体裁が良好となる。
【００２３】
また、例えば、前記導水部６は、縮めることで旋回し得るように構成すれば、例えば、後述の実施例の項で説明する構造のようにトレー体４の底部四隅に脚部４Ａが垂設されている場合でも、導水部６を縮めることでこの脚部４Ａなどの障害物を回避しながら導水部６を自由に旋回可能となるので、トレー体４の載置状況にかかわらず、導水部６を旋回させて確実にシンク２方向へと向けることができる。
【００２４】
また、例えば、前記トレー体４の底部隅部に脚部４Ａを垂設し、この脚部４Ａによって生じる流し台天面部１とトレー体４底部との間の浮上間隙に前記導水部６を水平旋回自在に設け、この導水部６は、伸ばした時の長さ寸法を、旋回時に前記脚部４Ａに接触して旋回不能となる長さ寸法に設定し、縮めた時の長さ寸法を、旋回時に前記脚部４Ａと接触せずに旋回可能となる長さ寸法に設定して、この縮めた導水部６を旋回させて排水方向を前記シンク２方向へ向けた後、必要に応じて導水部６を伸ばせるように構成すれば、流し台天面部１とトレー体４底部との間の浮上間隙で導水部６の水平旋回操作並びに伸縮調整操作を容易に行える操作性に秀れた構成を簡易に設計実現可能となる上、この浮上間隙を形成するための脚部４Ａは、導水部６を縮めることで導水部６旋回時の障害物とはならないので、シンク２に対するトレー体４の載置方向に応じて導水部６を自由に旋回させて確実にシンク２方向へと向けることができる。
【００２５】
また、例えば、前記トレー体４の下部に、縮めた前記導水部６をトレー体４の下方で収納状態に維持する収納部７を設ければ、この収納部７により何かの拍子で導水部６が不意に旋回してトレー体４の外方へ飛び出すようなことが防止されて不使用時の収納状態が安定的に維持されるので、本受具を持ち運ぶ際などにもこの収納構造は有効となる。
【実施例】
【００２６】
本発明の具体的な実施例について図面に基づいて説明する。
【００２７】
本実施例は、流し台天面部１のシンク２脇に載置する水受け用の水切り部材受具Ａと、この水切り部材受具Ａ上に載置支承する水切り部材３とから成る水切り装置に係るものである。
【００２８】
本実施例の水切り部材３は、線材を組んで形成した略長方形枠板状の水切り網30を採用している（図５，図６参照。）が、水切り籠や水切り棚やその他の水切り具を水切り部材３として採用しても良い。
【００２９】
本実施例の水切り部材受具Ａは、図１の（ａ）に示すように、水切り部材３の外形よりもやや大きめな略長方形状の浅底のトレー体４に形成し、このトレー体４の底部四隅には脚部４Ａを垂設して、この脚部４Ａにより流し台天面部１からトレー体４の底部が浮上した状態で載置する構成としている。
【００３０】
また、このトレー体４の内側（上面側）の四隅に水平面状の載置面部４Ｂを形成し、この載置面部４Ｂ上に、前記水切り網30や水切り籠や水切り棚の四隅の周縁部や、四隅の脚部を載置することで水切り部材３をトレー体４上に安定的に載置できるように構成している。
【００３１】
また、このトレー体４の底部に排水孔５を設け、この排水孔５に排水方向を規制する導水部６を設けて、トレー体４で受けた水を、排水孔５，導水部６を介して排水し得るように構成している。
【００３２】
排水孔５は、トレー体４底部の、このトレー体４の長さ方向の中程より一端部側であって、トレー体４の短方向の中程となる位置に丸孔を上下貫通形成して構成している。また、トレー体４の（上側）底面は、この排水孔５に向かって全方向傾斜する形状に形成し、このトレー体４底面で受けた水が排水孔５に向かって流れ込むように構成している。
【００３３】
また、この排水孔５の孔縁に沿ってトレー体４の底部より下方へ円筒状に突出する取付筒部（図示省略）を、このトレー体４底部に垂設している。
【００３４】
この排水孔５に設ける導水部６は、図１〜図３に示すように、断面コ字形をなす角樋形体に形成している。また、この導水部６の基端部を排水孔５の取付筒部に被嵌連結し得る円筒状の連結部６Ａに形成し、この連結部６Ａを排水孔５の取付筒部に連結することで、前記脚部４Ａによって生じる流し台天面部１とトレー体４底部との間の浮上間隙に導水部６を設けている。
【００３５】
また、この導水部６は、伸縮調整自在に設けてこの導水部６先端の突出度を可変自在に構成し、不使用時や、トレー体４をシンク２脇のごく近い位置に載置した場合などの導水部６の長さを必要としない使用時には導水部６を短く縮めておくことができ、逆に、トレー体４をシンク２脇の離れた位置に載置した場合などの導水部６に長さを必要とする使用時には導水部６を長く伸ばすことができる構成としている。
【００３６】
具体的には、図１に示すように、径小樋部材60の先端側に径大樋部材61をスライド自在に被嵌連結して、この径大樋部材61を径小樋部材60に対しスライド伸縮調整可能となる前記導水部６を構成し、径小樋部材60の基端部には前記連結部６Ａを形成している。
【００３７】
更に詳しくは、図２に示すように、径小樋部材60の基端側下面に、径大樋部材61の基端縁が当接係止することでこの樋部材61の縮み方向への必要以上のスライドを阻止する縮限ストッパ60Ａを突設している。また、この径小樋部材60の先端部上縁には、図１の（ｂ）に示すように、径大樋部材61を径小樋部材60より伸ばした際に、径大樋部材61の径小樋部材60からの抜脱を阻止する伸限ストッパ60Ｂを設け、一方、この伸限ストッパ60Ｂに当接係止する抜止片61Ａを径大樋部材61の基端部上縁に設けている。
【００３８】
また、径小樋部材60は、樹脂製として連結部６Ａ，縮限ストッパ60Ａ，伸限ストッパ60Ｂを一体成形し、径大樋部材61も、樹脂製として抜止片61Ａを一体成形している。従って、この導水部６を構成する各部品は簡易に設計実現可能な構成であり、安価に量産可能である。
【００３９】
また、本実施例では、この導水部６を旋回可能に設けて排水方向を変更し得るように構成すると共に、この導水部６を縮めることで旋回し得るように構成し、この導水部６を旋回して前記シンク２方向に向けることで、若しくはシンク２方向に向けた後伸ばすことで、この導水部６を介してシンク２内に排水し得るように構成している。
【００４０】
具体的には、前記排水孔５の取付筒部と導水部６の連結部６Ａとの連結構造を、適宜な水平旋回自在な連結構造とすることで、導水部６を旋回可能に設けている。
【００４１】
即ち、本実施例では、前記脚部４Ａによって生じる流し台天面部１とトレー体４底面との間の浮上間隙部で導水部６を水平旋回自在に設けている。
【００４２】
また、この導水部６の長さは、この導水部６を伸ばした時の長さ寸法を、伸ばしたまま旋回させることで前記脚部４Ａに接触して旋回不能となる長さ寸法に設定し、この導水部６の縮めた時の長さ寸法を、縮めたまま旋回させることで前記脚部４Ａと接触せずに旋回可能となる長さ寸法に設定して、この縮めた導水部６を旋回させて排水方向を前記シンク２方向へ向けた後、必要に応じて導水部６を伸ばせるように構成している。
【００４３】
更に詳しくは、トレー体４の短方向外側縁に向けた際に、縮めた状態でもこのトレー体４の短方向外側縁より導水部６（径大樋部材61）の先端が外方へ突出する長さ寸法とする（図２，図４，図５参照。）と共に、この縮めた状態ではトレー体４一端部の隅部に存する前記脚部４Ａに干渉せずに旋回可能となる長さ寸法に設定している（図４参照。）。
【００４４】
また、この導水部６をトレー体４の長手方向外側縁に向けた際には、縮めた状態ではこの長手方向外側縁より内に入った状態となるが、伸ばした状態とすることでこの長手方向外側縁より導水部６の先端が外方へ突出する長さ寸法に設定している（図３，図４，図６参照。）。
【００４５】
従って、図５に示すように、シンク２脇のごく近い位置にトレー体４の短方向外側縁を臨設させてトレー体４を流し台天面部１に載置した際には、導水部６をこのトレー体４の短方向外側縁に向けて水平旋回させると、このトレー体４の短方向外側縁より外方へ導水部６先端が突出し、この導水部６からシンク２内へと排水することができる構成としている。尚、トレー体４をシンク２から離して載置した場合には、シンク２とトレー体４の距離に応じて導水部６を伸ばすことで対応が可能である。
【００４６】
また、図６に示すように、シンク２脇のごく近い位置にトレー体４の長手方向外側縁を臨設させてトレー体４を流し台天面部１に載置した際には、導水部６をこのトレー体４の長手方向外側縁に向けて水平旋回させると共に、シンク２とトレー体４の距離に応じてこのトレー体４の長手方向外側縁より外方へ導水部６先端が突出するように導水部６を伸ばすと、この導水部６からシンク２内へと排水することができる構成としている。
【００４７】
このように、シンク２に対するトレー体４の載置向きに応じて導水部６の向きを切り換えて使用可能な構成としているもので、使用者のキッチン環境に応じた様々な設置態様が実現可能である。
【００４８】
また、本実施例では、前記トレー体４の下部に、縮めた前記導水部６をトレー体４の下方で収納状態に維持する収納部７を設けている。
【００４９】
具体的には、図４，図７に示すように、縮めた導水部６を旋回させてトレー体４の中心方向（トレー体４の短方向外側縁の方向とは反対方向に）に向けた際、この位置で導水部６を一方向にだけ旋回不能状態に維持するピン状の旋回阻止体７Ａを二本突設して収納部７を構成し、この旋回阻止体７Ａによる一方向への旋回阻止状態を収納状態とする構成としている。
【００５０】
尚、例えば、導水部６の旋回移動によって排水阻止状態と排水状態とを切り替える排水阻止機構を排水孔５と導水部６とのいずれか一方若しくは双方に設け、この導水部６が少なくとも収納部７に収納された状態では排水が阻止されるような構成を採用しても良く、このように構成すると収納状態では導水部６から排水されることがないため、トレー体４上に残った水滴が流し台天面１上に流出するようなことがなく、一層実用的となる。
【００５１】
また、本実施例では、前記排水孔５の栓体８を備えた構成とし、この栓体８で排水孔５を閉塞することにより導水部６からの排水を阻止できる構成としている（図１の（ａ）参照。）。この栓体８は、周面部がテーパ面となる円盤形栓体８を採用し、この栓体８のテーパ周面が排水孔５に圧入密接して漏水を防止する構成としている。
【００５２】
従って、この栓体８によりトレー体４内に水を一時貯めておくことができ、これにより、例えば導水部６を伸ばしてもシンク２に届かない程シンク２から離れた場所で水切りを行うような使い方もできる構成としている。
【００５３】
また、トレー体４の底部であって、前記導水部６の旋回可動領域を避けた位置となるトレー体４の長さ方向の他端部側位置に、不使用時の栓体８を着脱自在に装着しておくことができる装着部９を設けている。この装着部９は、図２，図３に示すように、トレー体４の底部に円筒部を垂設して構成し、図７に示すように、この円筒状の装着部９に栓体８のテーパ周面を圧入装着し得るようにしている。
【００５４】
また、本実施例のトレー体４は、樹脂製として脚部４Ａ，載置面部４Ｂ，排水孔５（取付筒部），収納部７（旋回阻止体），装着部９の各部を一体成形している。従って、この各部を備えたトレー体４は簡易に設計実現可能であり、安価に量産可能である。
【００５５】
よって、前記したように導水部６も安価に量産可能であるので、本実施例の水切り部材受具Ａは、量産性に秀れ、安価な製品を提供できることになる。
【００５６】
尚、本発明は、本実施例に限られるものではなく、各構成要件の具体的構成は適宜設計し得るものである。
【図面の簡単な説明】
【００５７】
【図１】本実施例の水切り部材受具並びに導水部の伸縮形態を示す斜視図である。
【図２】本実施例の水切り部材受具を示す底面方向から見た斜視図である。
【図３】図２の状態から導水部を別方向へ旋回移動して、導水部を伸ばした状態を示す斜視図である。
【図４】本実施例の導水部の旋回状態と伸縮状態との関係を示す説明底面図である。
【図５】本実施例の水切り装置の、トレー体の短方向外側縁をシンクに臨設させた場合の使用状態を示す説明平面図である。
【図６】本実施例の水切り装置の、トレー体の長手方向外側縁をシンクに臨設させた場合の使用状態を示す説明平面図である。
【図７】本実施例の導水部の収納状態を示す斜視図である。
【符号の説明】
【００５８】
１  流し台天面部
２  シンク
３  水切り部材
４  トレー体
４Ａ  脚部
５  排水孔
６  導水部
７  収納部
30  水切り網
Ａ  水切り部材受具
【図１】
2006304959.tif 000003
【図２】
2006304959.tif 000004
【図３】
2006304959.tif 000005
【図４】
2006304959.tif 000006
【図５】
2006304959.tif 000007
【図６】
2006304959.tif 000008
【図７】
2006304959.tif 000009